(57)【要約】      （修正有）【課題】鍼灸鍼改良構造を提供する。【解決手段】鍼灸鍼改良構造１は、鍼管２と鍼体３とを含む。鍼管２は、細長状を呈し、周壁２１と中空部２２を備え、中空部２２が周壁２１で取り囲んで形成され、且つ周壁２１に中空部２２に向かう少なくとも１つの弾性凸部２３を設け；鍼体３は、細長状を呈すると共に中空部２２に設けられ、且つ鍼体３が鍼根３１と鍼先３２とを備え、鍼先３２が鍼根３１のいずれかの一端に連接し、鍼根３１の鍼先３２に対する他端が内側に縮んで鍼柄３３を形成し、鍼根３１に複数本の細縞模様３１１を形成し、且つ複数本の細縞模様３１１の少なくともいずれか１つと少なくとも１つの弾性凸部２３は互いに突き当てる。この構造設計を介すると、組立の安定性及び使用の利便性を確実に向上する目的を達成できる。【選択図】図３
0003215332.tif 000002
【実用新案登録請求の範囲】
【請求項１】
細長状を呈し、周壁と中空部を備え、前記中空部が前記周壁で取り囲んで形成され、且つ前記周壁に前記中空部に向かう少なくとも１つの弾性凸部を設ける鍼管と、
細長状を呈すると共に前記中空部に設けられ、且つ前記鍼体が鍼根と鍼先とを備え、前記鍼先が前記鍼根のいずれかの一端に連接し、前記鍼根の前記鍼先に対する他端が内側に縮んで鍼柄を形成し、前記鍼根に複数本の細縞模様を形成し、且つ前記複数本の細縞模様の少なくともいずれか１つと該少なくとも１つの弾性凸部は互いに突き当てる鍼体と、
を含むことを特徴とする鍼灸鍼改良構造。
【請求項２】
前記複数本の細縞模様は、並列状を呈することを特徴とする請求項１に記載の鍼灸鍼改良構造。
【請求項３】
前記複数本の細縞模様は、交差状を呈することを特徴とする請求項１に記載の鍼灸鍼改良構造。
【請求項４】
前記鍼管は、プラスチック鍼管であることを特徴とする請求項１に記載の鍼灸鍼改良構造。
【考案の詳細な説明】
【技術分野】
【０００１】
本考案は、鍼灸鍼改良構造に関し、特に組立の安定性及び使用の利便性を確実に向上する目的を達成できる鍼灸鍼改良構造に関する。
【背景技術】
【０００２】
一般的な中医クリニックにおいて、鍼灸は極めてよく見られる治療方法であり、すなわち中医師は患者の治療ニーズを見て鍼灸鍼を人体の経穴に刺入して治療を行う。
【０００３】
同時に図１及び図２を参照すると、図１は従来の鍼灸鍼構造立体図で、図２が図１の断面図である。
【０００４】
図１及び図２では、従来の鍼灸鍼構造９を示し、細長状を呈する鍼管９１（例えば、プラスチック鍼管）と鍼体９２とを含み、鍼体９２が鍼管９１の中空部９１１に設けられ、且つ鍼体９２の鍼根９２１に互いに並列する複数の凸縁９２２を形成し、鍼管９１に中空部９１１に向かう固定凸部９１２を形成し、固定凸部９１２が複数の凸縁９２２のいずれかに突き当てる。
【０００５】
鍼灸鍼構造９の未使用時、鍼体９２は、凸縁９２２と固定凸部９１２の突き当てを通じて中空部９１１に位置することを保持する。鍼灸鍼構造９の使用時、鍼管９１を持つと共に鍼体９２に加圧して鍼体９２を中空部９１１から移出させる。
【０００６】
先述したとおり、鍼灸鍼構造９の未使用時、凸縁９２２と固定凸部９１２の突き当てを通じて鍼体９２を中空部９１１に保持させる。ただし、固定凸部９１２の形成の大きさを制御しなければならず、固定凸部９１２の形成が突出しすぎると、鍼体９２が中空部９１１に係止され、使用時非常に大きな力を掛けることで鍼体９２を中空部９１１から移出（更にも鍼体９２が中空部９１１に係止されて移出できない）させることができる。逆に、固定凸部９１２の形成は小さすぎると、鍼体９２が凸縁９２２と固定凸部９１２の突き当てを通じて中空部９１１に位置することを保持できず、すなわち、鍼体の未使用時、中空部９１１から落下する。
【０００７】
先述したとおり、従来の鍼灸鍼構造は、組立の安定定性及び使用の利便性という課題においてやはり改良の余地がある。
【考案の概要】
【考案が解決しようとする課題】
【０００８】
上記課題を解決するために、鋭意研究を重ねた結果、以下の考案を完成するに至った。
【課題を解決するための手段】
【０００９】
本考案の鍼灸鍼改良構造は、鍼管と鍼体とを含む。該鍼管は、細長状を呈し、周壁と中空部を備え、該中空部が該周壁で取り囲んで形成され、且つ該周壁に該中空部に向かう少なくとも１つの弾性凸部を設け；該鍼体は、細長状を呈すると共に該中空部に設けられ、且つ該鍼体が鍼根と鍼先とを備え、該鍼先が該鍼根のいずれかの一端に連接し、該鍼根の該鍼先に対する他端が内側に縮んで鍼柄を形成し、該鍼根に複数本の細縞模様を形成し、且つ該複数本の細縞模様の少なくともいずれか１つと該少なくとも１つの弾性凸部は互いに突き当てる。
【００１０】
よって、上記構造設計を介すると、組立の安定性及び使用の利便性を確実に向上する目的を達成できる。
【００１１】
上記で述べた該複数本の細縞模様は、並列状を呈する。
【００１２】
上記で述べた該複数本の細縞模様は、交差状を呈する。
【００１３】
上記で述べた該鍼管は、プラスチック鍼管である。
【図面の簡単な説明】
【００１４】
【図１】従来の鍼灸鍼構造立体図である。
【図２】図１の断面図である。
【図３】本考案の第１の好ましい実施例の断面図である。
【図４】本考案の第１の好ましい実施例の作動を示す模式図の一である。
【図５】本考案の第１の好ましい実施例の作動を示す模式図の二である。
【図６】本考案の第２の好ましい実施例の断面図である。
【考案を実施するための形態】
【実施例１】
【００１５】
図３を参照すると、本考案第１の好ましい実施例の断面図である。図３内に鍼灸鍼改良構造１（鍼灸鍼改良構造１の立体態樣は、図１を参照すると、分かることができるため、描画を省略する）を示し、且つこの鍼灸鍼改良構造１は、鍼管２と鍼体３とを含む。
【００１６】
図３に示すように、鍼管２は、細長状を呈し、周壁２１と中空部２２とを備え、中空部２２が周壁２１で取り囲んで形成され、且つ周壁２１に中空部２２に向かう少なくとも１つの弾性凸部２３を凸設する。
【００１７】
本実施例において、周壁２１に中空部２２に向かう１つの弾性凸部２３のみを凸設し、当然設計ニーズを見て複数の弾性凸部２３も凸設することができる。また、本実施例において、鍼管２は、プラスチック鍼管であり、当然他の素材の使用も可能である。
【００１８】
また、図３から分かるように、鍼体３は細長状を呈すると共に鍼管２の中空部２２に設けられ、且つ鍼体３が鍼根３１と鍼先３２とを備え、鍼先３２が鍼根３１のいずれか一端に連接し、鍼根３１の鍼先３２に対する他端に内側に縮んで鍼柄３３を形成し、鍼根３１に複数本の細縞模様３１１を形成し、且つこの複数本の細縞模様３１１の少なくともいずれか１つと鍼管２の少なくとも１つ弾性凸部２３は互いに突き当てる。本実施例において、前記複数本の細縞模様３１１は並列状を呈する。
【００１９】
同時に図４及び図５を参照すると、図４は、本考案の第１の好ましい実施例の作動を示す模式図の一で、図５が本考案の第１の好ましい実施例の作動を示す模式図の二である。また一緒に図３を参照する。
【００２０】
鍼灸鍼改良構造１の未使用時、図３に示すように、鍼体３は複数本の細縞模様３１１の弾性凸部２３の相互突き当てを通じて鍼管２の中空部２２に位置することを保持する。この場合、複数本の細縞模様３１１及び弾性のある弾性凸部２３の構造設計を介し、複数本の細縞模様３１１と弾性凸部２３の間に適切な弾性係合摩擦力を形成することで、鍼体３を安定的に鍼管２の中空部２２に位置するよう保持させることができる。すなわち、鍼灸鍼改良構造１は、組立の安定性を向上できる。
【００２１】
鍼灸鍼改良構造１の使用時、図４の矢印で示すように鍼管２を持って鍼体３の鍼柄３３に加圧でき、この場合鍼体３が押されて下方へ移動し始め、図５に示すように鍼柄３３は弾性凸部２３の位置までに移動した時、弾性凸部２３が離脱して複数本の細縞模様３１１と弾性的に係合するため、鍼体３がスムーズに鍼管２の中空部２２から移出し、鍼灸治療の使用目的を達成できる。すなわち、鍼灸鍼改良構造１は、使用の利便性を向上できる。
【実施例２】
【００２２】
図６を参照すると、本考案の第２の好ましい実施例の断面図である。本実施例において、その主要構造は、均しく上記第１の好ましい実施例と同じであるが、その相違点としては複数本の細縞模様３１２が交差状を呈することである。このような構造設計は、同樣に上記第１の好ましい実施例に述べた各種効果を奏することができる。
【００２３】
考案の詳細な説明の項においてなされた好ましい実施例は、あくまでも本考案の技術内容を明らかにするものであって、そのような具体例にのみ限定して狭義に解釈されるべきものではない。本考案の精神及び原則から逸脱することなく、行われる様々な修正、均等置換及び改良は、いずれも本考案の保護範囲に含めるものであるのが勿論である。
【符号の説明】
【００２４】
１  鍼灸鍼改良構造
２  鍼管
２１  周壁
２２  中空部
２３  弾性凸部
３  鍼体
３１  鍼根
３１１  細縞模様
３１２  細縞模様
３２  鍼先
３３  鍼柄
９  鍼灸鍼構造
９１  鍼管
９１１  中空部
９１２  固定凸部
９２  鍼体
９２１  鍼根
９２２  凸縁
【図１】
0003215332.tif 000003
【図２】
0003215332.tif 000004
【図３】
0003215332.tif 000005
【図４】
0003215332.tif 000006
【図５】
0003215332.tif 000007
【図６】
0003215332.tif 000008
【手続補正書】
【提出日】平成30年1月11日(2018.1.11)
【手続補正１】
【補正対象書類名】実用新案登録請求の範囲
【補正対象項目名】全文
【補正方法】変更
【補正の内容】
【実用新案登録請求の範囲】
【請求項１】
細長状を呈し、周壁と中空部を備え、前記中空部が前記周壁で取り囲んで形成され、且つ前記周壁に前記中空部に向かう少なくとも１つの弾性凸部を設ける鍼管と、
細長状を呈すると共に前記中空部に設けられ、且つ鍼根と鍼先とを備え、前記鍼先が前記鍼根のいずれかの一端に連接し、前記鍼根の前記鍼先に対する他端が内側に縮んで鍼柄を形成し、前記鍼根に複数本の細縞模様を形成し、且つ前記複数本の細縞模様の少なくともいずれか１つと前記少なくとも１つの弾性凸部は互いに突き当てる鍼体と、
を含むことを特徴とする鍼灸鍼改良構造。
【請求項２】
前記複数本の細縞模様は、並列状を呈することを特徴とする請求項１に記載の鍼灸鍼改良構造。
【請求項３】
前記複数本の細縞模様は、交差状を呈することを特徴とする請求項１に記載の鍼灸鍼改良構造。
【請求項４】
前記鍼管は、プラスチック鍼管であることを特徴とする請求項１に記載の鍼灸鍼改良構造。